(57)【要約】      （修正有）【課題】風力利用による発電装置及び蓄圧装置を提供する。【解決手段】円錐面をなす採風板Ａの頂点寄りを送風孔としフランジ１２を付設し弁蝶着環４０を重合し，支柱Ｐ上端の直円筒Ｔに支承台Ｕを載設し直円筒Ｔに嵌挿の回動筒Ｒの側面に透孔１１を穿設し，該送風孔１７のフランジ１２と回動筒Ｒの透孔１１周縁に送風管Ｙ上下端のフランジ１２を其々螺着し支承板Ｕ１を採風板Ａ下面の風切環Ａ１に近接し送風孔１７側へ螺着し，地表寄りの軸線を含む両側壁３４の透孔１１に口金Ｆを嵌設し，中間位に透孔１１を穿設の給気管２１を後端側より嵌挿し後端側の口金Ｆの左右側面にばね掛板３７を螺着し、先端に透孔開閉筒を螺結して固定し，先端側の口金Ｆの側面を螺刻し，枝管２２を螺着してなる給気管２１を掛止ナット３１により連結し外延における電化と２次ボンベＥへの圧力充填による動力化を可能にしている。【選択図】図１
2015075099.tif 000002
【特許請求の範囲】
【請求項１】
中空の支柱（Ｐ）の上端部に直円筒（Ｔ）を一体に軸設し支承台（Ｕ）を載設してなる回動筒（Ｒ）を嵌挿し，円錐面の後端を削成し送風孔（１７）となす採風板（Ａ）の下面を支承台（Ｕ）上面に挟持する形状に螺着し後端の送風孔（１７）周縁にフランジ（１２）を付設し環状の弁座（５）を内周に一体となし弁（６）を蝶着してなる弁蝶着環（４０）と，該回動筒（Ｒ）の中間位に穿設の透孔（１１）周縁に，送風管（Ｙ）上端のフランジ（１２）と下端縁に付設のフランジ（１２）を其々螺着し，回動筒（Ｒ）の掛留環（３３）に該直円筒（Ｔ）上端の外側面に螺着の覆留環（３２）を被覆し，支柱（Ｐ）下端部の両側壁（３４）に穿設の透孔（１１）内周縁に両口金（Ｆ）後端のフランジ（１２）を融着し，中間位に透孔（１１）を穿設の給気管（２１）の後端外周縁をつば状に広め両口金（Ｆ）間に後端側より嵌挿し該先端側の口金（Ｆ）の端面上で削成し，かつ該外側面を螺刻し，後端に内向きフランジ（１２）を一体に付設の掛止ナット（３１）を螺着し，透孔開閉筒（３８）のピン（４２）に操作桿（３９）を螺挿し，後端の口金（Ｆ）に螺着の両ばね掛板（３７）に抑えばね（３５）を掛止めてなる風の充填動力化装置。
【請求項２】
採風板（Ａ）の送風孔（１７）に近接の所要の前後間相当位の内周面に枠掛をなすシャックル（４６）を掛止し，先端寄りのプロペラ（Ｓ）とそれを連結のモータ（ｗ）を母線材（４）に軸着してなる橋絡環（４７）を枠掛のシャックル（４６）により掛留し，回動筒（Ｒ）に配線の端末（５２）と同内面に地表より配線の端末（５２）を，同一軸線上に配設の電線の回動継手Ｑを介し接続してなる請求項１に記載の風の充填動力化装置。
【発明の詳細な説明】
【技術分野】
【０００１】  風力を動力とし産業分野の需要に適う低廉，かつ無公害の自然エネルギーを提供する。発電のほか高圧気体の提供を可能とし，車両，船舶等の動力化を可能にする。
【背景技術】
【０００２】
【先行技術文献】
【０００３】
【特許文献】
【特許文献】  特願２００７−３０７３３２
【０００４】
【非特許文献】
【非特許文献】  機械用語図解辞典  日刊工業新聞社刊
【発明の概要】
【発明が解決しようとする課題】
【０００５】  本出願による風力の利用は漏斗状の，円錐板後端に透孔を設け送風孔とし開孔面の風切環を風に向け送風孔に連なる送風管によりボンベに充填し，かつ送風孔の前域にプロペラを軸支してなるモータを軸線上に架設して発電し同時に中空の支柱内に風を充填し外延への動力化，２次ボンベに充填する。
【課題を解決するための手段】
【０００６】  請求項１に関する風力の利用は中空の支柱Ｐの上端に一体に付設の直円筒Ｔに，円錐板の後端を削成してなる送風孔１７周縁にフランジ１２を付設し採風板Ａを載設の回動筒Ｒ上半の略中間位に穿設の透孔１１周縁に，送風管Ｙの上，下端に付設のフランジ１２を其々螺着し，地表寄りの支柱Ｐの両側壁に穿設の透孔１１に内側より嵌設の両口金Ｆ間に，中間位に透孔１１を穿設し後端に外開きのフランジ１２付きの給気管２１を後端より嵌挿し口金Ｆの先端面上で削除し，フランジ１２を先端側に付設のユニオンナット３１を，外側面を螺刻してなる該口金Ｆに螺着し外延への給気管２１接続のフランジ１２とし後端側の口金Ｆの両側面にばね掛板３７を螺着し，操作桿３９にばね締ナット４１，抑えばね３５，固定ナット４４を螺挿し先端を透孔開閉筒３８のピン４２に座板４３を介して螺結し給気管２１の透孔１１を開閉自在としている。【０００７】  請求項２に関する風力の利用は後端の送風孔１７の前域に，プロペラＳをモータＷに軸支し採風板Ａ内周面に付設の橋絡環４７にモータＷを螺着し回動筒Ｒ内の下端に，入電線の端末５２を軸設し該端末５２と，地表側より支柱Ｐ内面の軸線上に配線の送電線の端末５２間に所要の間隔をおいて電線の回動継手Ｑを両端末５２間に付設し接続している。
【発明の効果】
【０００８】  請求項１に関し採風板Ａの風切環Ａ１の径ｒは従来のプロペラ発電における３枚羽の風切面の合計面積２４０ｍ２に相当の円面積とみなしている。よってπｒの二乗＝２４０．ｒの二乗＝２４０／πより，ｒ＝８．７ｍである。風は立方空間の移動であり従来例における風切面が受ける風圧に対比すべきは採風板Ａの内容量：Ｖ＝１／３π（ｒの二乗）ｈがそれに該当する。該採風板Ａは側面視が三等辺三角形であり軸線の長さは，ＣＯＳ３０°＝ｈ／２ｒより  ｈ＝１５．６ｍ．よってＶ＝１／３π（８．７）二乗１５．０６＝１１９３立方ｍ，即ち従来例との対比は２４０：１１９３＝１：１１９３／２４０＝１：４．９７であり採風板Ａ一体当たりの動力量は従来例のプロペラ発電の略５倍に相当である。【０００９】  １：４．９７の対比は送風量に関してだけの効果であるが漏斗状の後端における風圧の強度が水鉄砲に類似の高圧化をもたらす点にかんがみ，仮に該風力の５倍とすれば其の動力量は２５倍に増幅する。【００１０】  請求項２に関し最風板Ａ内面に送風孔１７に所要の間隔をおいてプロペラＳとモータＷを連結し該円錐面の内周に架設の橋絡環４７に軸支したことにより発電が可能となり，回動継手Ｑを介しての回動筒Ｒの回動による入電線の捻れは未然に解消可能である。
【図面の簡単な説明】
【００１１】
【図１】  支柱Ｐ上に回動筒Ｒを嵌挿し上端に採風板Ａを支承し地表寄りの両側壁間に給気管２１を掛渡してなる部分断面左側面図。
【図１−１】  送風孔１７周縁に螺着の弁蝶着環の分離左側面，正面図。
【図１−２】  採風板Ａ下面の支承板Ｕ１の螺着域を示す背面図。
【図１−３】  回動筒Ｒの縦断面図。
【図１−４】  支柱Ｐ下端部の給気管２１と透孔開閉筒３８の掛留を示す横断平面図。
【図１−５】  操作桿３９に所要の部品を螺挿し先端を透孔開閉筒３８のピン４２に固定してなる平面図。
【図１−６】  操作幹３９と螺挿各部品の分解平面図。
【図２】  採風板Ａの送風孔１７前域にプロペラＳを軸支のモータＷを架設の右側面図。
【図２−１】  図２風切環Ａ１の正面図。
【図３】  回動筒Ｒ下端面で接続の入電プラグ送電プラグの部分縦断正面図。
【図３−１】  Ａ−Ａ断面の橋絡板５０に螺着の入電プラグ４９の底面図。
【図３−２】  Ｂ−Ｂ断面の橋絡板５０に螺着の送電プラグ４９の平面図。
【図４】  従来のプロペラ発電を示す背面図。
【発明を実施するための形態】
【００１２】
【実施例１】
【００１３】  請求項１に関し，図１は採風板Ａの右側面図である。支柱Ｐ上端部の直円筒Ｔ中間位にリング８を嵌設の回動筒Ｒを嵌挿し上端に支承台Ｕを螺着している。支承板Ｕ１の採風板Ａの母線上及び前後面の軸線に鉛直面の交線上に当接する形状に螺着している。送風孔１７周縁のフランジ１２と送風管Ｙ上端の口金Ｆのフランジ１２間に弁蝶着環４０を挟む形状に，かつ回動筒Ｒの略中間位後側に穿設の透孔１１周縁に該送風管Ｙ下端のフランジ１２を其々螺着している。直円筒Ｔ上端面には図１−３に環状の断面が方形をなす係留環３３の下面が接しそれを覆留環３２が被覆する形状に該直円筒Ｔ上端部の外側面に螺着している。【００１４】  図１−１は採風板Ａと送風管Ｙの口金Ｆの両フランジ１２間に弁蝶着環４０を挟む形状に螺着している。弁６は送風により口金Ｆ内を後方へ撥ね無風時においては弁蝶着環４０のやや小径の透孔１１をなす内向きのフランジ１２に重合する。【００１５】  図１−２は採風板Ａの下面に支承板Ｕ１の上端縁を螺着の背面図であり扇形をなしている。支承台Ｕはやや先端寄りにあり風切環Ａ１に近接の先端から後端域へ送風孔１７寄りの略１／４域にある。【００１６】  図１−３は回動筒Ｒの断面正面図であり上端は密閉し，下半部の略中間位にリング８を嵌設している。【００１７】  図１−４は支柱Ｐの下端部を含む給気管２１の横断面図である。両側壁３４の地表近くに口金Ｆと同径の透孔１１を穿設し内側より嵌挿の両口金Ｆ後端のフランジ１２を融着し給気管２１を嵌挿し先端を口金Ｆの端面上で分離し該外側面を螺刻している。【００１８】  給気管２１の先端は図１のように螺刻の口金Ｆに，後端面に一体に内向フランジ１２を付設の掛止ナット３１を螺着可能とし，動力及び２次ボンベＥへの給気管２１の連結に備えている。【００１９】  操作桿３９は給気管２１の透孔開閉筒３８の後端に嵌設のピン４２に螺合し先端側の固定ナット４４により図１−４及び図１−５のように，図１−６に例示の座板４３を介し固定している。操作桿３９のばね掛板３７は両鉤間に特定しハンドル２３寄りのばね締ナット４１により掛止めている。該透孔開閉筒３８による透孔１１の開閉に所要の移行は動力及び２次ボンベＥへの給気量に相応する。【００２０】
【実施例２】
【００２１】  請求項２に関し図２はモータＷのプーリ軸設相当位にプロペラＳを軸支しモータＷ外周の前後にそれぞれ一体のフランジ１２に，それと略同幅の円環であり軸線上に配し螺着してなる端絡板５０をシャックル４６で掛留めている。このようにしてモータＷの前後に一体の両フランジ１２を螺着の架台Ｑを母線材４に掛留し発電に所要の機構としている。【００２２】  モータＷからの入電は採風板Ａの回動が回動筒Ｒを介し入電線２，送電線３間に捻れを生じさせる。図３は支柱Ｐの回動筒Ｒの下端面相当位に継電環を配する部分縦断面図でありその捻れを解消させる。図３−１はＡ―Ａ断面図であり入電のプラグ４９の底面図，図３−２はＢ−−Ｂ断面図であり送電のプラグ４９の平面図である。【００２３】  両プラグ４９の接面は其々径の異なる正負の継電環を配し其の端末５２を正，負の異なる入電線，送電線の端子台５３間に接続し電線の回動継手Ｑにより捻れが生じない機能を示している。仮に竜巻が襲来しようとも捻れが生じることはない。
【産業上の利用可能性】
【００２４】  本出願の該装置は一般の家庭，地域社会及び各企業体において所要の電力を供給でき同時に無風時にあっては充電に相当の備蓄のボンベＥによりモータＷによる各種の冷・暖機器の稼働を可能にする。化石燃料がもたらす環境の汚染と地球の温暖化問題が懸念される状況は消失する。但し，ごみ焼却等による海と大気の汚染は次元を異にする問題である。【００２５】  請求項２に関し，採風板Ａにおける発電と給気管２１を介しての２次ボンベＥへの適正な比率は，プロペラＳの作動による回動の強化と送風孔１７を介しての該支柱Ｐ内への充填気圧の動力量の均衡ある回動機能が風力の効果的活用と目されるのであり，製作と実施による改良の積み重ねの上に高機能化が進行するものと期待される。
本構成は風の充填動力源装置（特願２０１１−２６９４３５）と互換性を有する。図面は正確ではない。
【符号の説明】
【００２５】Ａ  採風板              Ａ１  風切環                Ｅ  ボンベ
Ｆ  口金                Ｐ  支柱                    Ｑ  電線の回動継手
Ｒ  回動筒              Ｓ  プロペラ                Ｔ  直円筒
Ｕ  支承台              Ｕ１  支承板                Ｗ  モータ
Ｙ  送風管              Ｚ  タービン
２  入電線              ３  送電線                  ４  母線材
５  弁座                ６  弁                      ８  リング
１１  透孔              １２  フランジ              １７  送風孔
２１  給気管            ２２  枝管                  ２３  ハンドル
２５  コック            ２９  合せナット            ３１  掛止ナット
３２  覆留環            ３３  係留環                ３４  側壁
３５  抑えばね          ３７  ばね掛板              ３８  透孔開閉筒
３９  操作桿            ４０  弁蝶着環              ４１  取手ねじ
４２  ピン              ４３  座板                  ４４  固定ナット
４６  シャックル        ４７  橋絡環                ４９  プラグ
５０  橋絡板            ５１  連結環
【図４】
2015075099.tif 000003
【図１】
2015075099.tif 000004
【図１−１】
2015075099.tif 000005
【図１−２】
2015075099.tif 000006
【図１−３】
2015075099.tif 000007
【図１−４】
2015075099.tif 000008
【図１−５】
2015075099.tif 000009
【図１−６】
2015075099.tif 000010
【図２】
2015075099.tif 000011
【図２−１】
2015075099.tif 000012
【図３】
2015075099.tif 000013
【図３−１】
2015075099.tif 000014
【図３−２】
2015075099.tif 000015
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
中空の支柱（Ｐ）の上端部に直円筒（Ｔ）を一体に軸設し支承台（Ｕ）を載設してなる上半部中間位の後側に透孔（１１）を穿設の回動筒（Ｒ）を嵌挿し，円錐面の後端を削成し送風孔（１７）となす採風板（Ａ）の下面を支承台（Ｕ）上面に挟持する形状に螺着し後端の送風孔（１７）周縁にフランジ（１２）を付設し環状の弁座（５）を内周に重合してなる弁蝶着環（４０）と，該回動筒（Ｒ）の係留環３３の上側中間位に穿設の透孔（１１）周縁に，送風管（Ｙ）上端に付設の弁振幅筒１４先端のフランジ（１２）と下端縁に付設のフランジ（１２）を其々螺着し，回動筒（Ｒ）の掛留環（３３）に直円筒（Ｔ）上端の外側面に螺着の覆留環（３２）を被覆し，支柱（Ｐ）下端部の後端側壁（３４）の透孔（１１）の外周縁に固定用給気管（２１）後端のフランジ（１２）を螺着し先端のフランジ（１２）に，先端のフランジ（１２）を発電用ボンベ（Ｅ）の固定用給気管（２１）後端のフランジ（１２）に連結の給気管（２１）後端のフランジ（１２）を連結してなる風の充填動力化装置。
【手続補正２】
【補正対象書類名】明細書
【補正対象項目名】全文
【補正方法】変更
【補正の内容】
【発明の詳細な説明】
【技術分野】
【０００１】  風力を動力とし社会と産業分野の需要に適う低廉，かつ無公害の電力を提供する。
【背景技術】
【０００２】支柱上にプロペラを回動し軸着してなるモータより送電する方式が現在行われている。
【先行技術文献】
【非特許文献】
【０００３】
【非特許文献１】  機械用語図解辞典  日刊工業新聞社刊
【発明の概要】
【０００４】支柱上に載設の円錐面の後端の透孔より採風を給気管を介し発電用ボンベＥに給気を充填し社会と産業界に無公害で低廉の電力を供給する。
【発明が解決しようとする課題】
【０００５】（特願）
本出願による風力の利用は漏斗状の，円錐板後端に透孔１１を設け送風孔とし開孔面の風切環を風に向け送風孔に連なる送風管により発電用ボンベに充填し，支柱Ｐ内に充填の気体を給気管により発電用ボンベに充填し低廉で無公害の電力を社会と産業界に提供する。
【課題を解決するための手段】
【０００６】（特願）
請求項１に関する風力の利用は送風管１７後端の，弁蝶着管４０を重合のフランジ１２と，採風板Ａを軸線上に載設し上半の略中間位に透孔１１を穿設の回動筒Ｒを嵌挿し該透孔１１周縁に，送風管Ｙの上端に付設の弁振幅筒４１先端のフランジ１２と下端に付設のフランジ１２を其々螺着し，地表寄りの支柱Ｐの側壁３４に穿設の透孔１１周縁に固定用給気管２１後端のフランジ１２を螺着し先端のフランジ１２に，発電用ボンベＥに固定用給気管２１後端のフランジ１２を螺着し先端のフランジ１２に，先端のフランジ１２を連結してなる給気管２１後端のフランジ１２を連結している。
【発明の効果】
【０００７】採風板Ａの規格に関しては，従来例のプロペラ発電に作動する風力を２４０ｍ３とみなし採風板Ａの容量１１５５５２ｍ３  との対比４８１倍としてきたが突風，其の吹き回し等に備えての風切環Ａの半径ｒ＝２０ｍとしその容積１４５０２ｍ３を従来のプロペラ発電の略６０倍相当；２４０×６０＝１４４００ｍ３と縮小している。それによって風切環Ａ１を回動筒Ｒの軸線上に載設できるので風の吹き回しへの対応が可能になった。
【発明を実施するための形態】
【実施例１】
【０００８】  請求項１に関し図１は採風板Ａの右側面図である。支柱Ｐ上端部の直円筒Ｔ下側の中間位にリング８を嵌設の回動筒Ｒを嵌挿し，上端に支承台Ｕを螺着している。支承板Ｕ１は採風板Ａの母線に当接する形状に螺着している。送風孔１７周縁のフランジ１２と送風管Ｙ上端に付設の弁振幅筒１４先端のフランジ１２間に弁蝶着環４０を挟む形状に，回動筒Ｒ上半の略中間位後側に穿設の透孔１１周縁に該送風管Ｙ下端のフランジ１２を其々螺着している。直円筒Ｔ上端面には回動筒Ｒに方形をなす係留環３３の下面が接しそれを覆留環３２が被覆する形状に該直円筒Ｔ上端部の外側面に螺着している。【０００９】  図１−１は採風板Ａと送風管Ｙ上端に付設の弁振幅筒４１先端のフランジ１２間に弁蝶着環４０を挟む形状に螺着している。其の分解図であり弁蝶着環４０は正面図で示している。弁６は送風により弁振幅筒１４内を後方へ撥ね無風時においては弁蝶着環４０のやや小径の透孔１１をなす内向きのフランジ１２に重合する。【００１０】図１−２は採風板Ａの下面に支承台Ｕの上端縁を螺着の左側面図であり風切環Ａ１を回動筒Ｒの軸上に配している。これは風切環Ａ１の径を略２０ｍに半減しての小規格化により可能になった。
【実施例２】
【００１１】請求項１に開し支柱Ｐ側壁の地表寄りに穿設の透孔１２周縁に固定用の給気管２１後端のフランジ１２を螺着し先端のフランジ１２に，発電用ボンベＥ側壁３４の固定用給気管２１後端のフランジ１２に先端のフランジ１２を連結の給気管２１後端のフランジ１２を連結している。その連結により採風板Ａよりの給気とその充填はボンベＥによる無公害で低廉な発電を可能にしている。【００１２】  本出願の各構成はとくに特願２０１１−２６９４３５と互換性を有する。図面は正確ではない。
【図面の簡単な説明】
【００１３】
【図１】採風板Ａの風切環Ａ１を支柱Ｐ軸上に載設し内部の諸機器を削除し側壁３４の透孔１１より給気管２１を発電用ボンベＥに連結の左側面図。
【図１−１】送風孔１７周縁に螺着の弁蝶着環４０の分離左側面，正面図。
【図１−２】採風板Ａ下面の支承板Ｕ１上の螺着域を示す左縦断側面図。
【図１−３】回動筒Ｒの部分縦断正面図。
【図１−４】回動筒Ｒの透孔１１の右側面及び正面図。
【図１−５】送風管Ｙ下端を付設のフランジ１２の側面図及び背面図。
【図１−６】図１−５の平面分解図。
【図２】支承台Ｕに風切環Ａ１載設の掛留板４１の正面図。
【図２−１】掛留板４１の平面図。
【符号の説明】
【００１４】Ａ  採風板            Ａ１  風切環          Ｅ  ボンベ
Ｐ  支柱              Ｒ  回動筒            Ｔ  直円筒
Ｕ  支承台            Ｕ１  支承板          Ｙ  送風管
２  コ形環枠          ３  コ形固定冠        ４  母線
５  弁座              ６  弁                ８  リング
１１  透孔            １２  フランジ        １４  弁振幅筒
１７  送風孔          ２１  給気管          ３２  覆留環
３３  係留環          ３４  側壁            ４０  弁蝶着環
４１  掛留板
【手続補正３】
【補正対象書類名】図面
【補正対象項目名】全図
【補正方法】変更
【補正の内容】
【図１】
2015075099.tif 000016
【図１−１】
2015075099.tif 000017
【図１−２】
2015075099.tif 000018
【図１−３】
2015075099.tif 000019
【図１−４】
2015075099.tif 000020
【図１−５】
2015075099.tif 000021
【図１−６】
2015075099.tif 000022
【図２】
2015075099.tif 000023
【図２−１】
2015075099.tif 000024